(57)【要約】      （修正有）【課題】駐車場などの出入口に設置して、住宅の景観を損なうことのない門扉を提供する。【解決手段】地面から垂直に起立する両縦枠３，３に上枠４を枠組みした門形フレーム１と昇降プレート２から成り、該昇降プレート２は両縦枠３，３の間に掛架した細長い長方形で門形フレーム１との間には大きな空間７が形成され、両先端に取付けたガイドローラが縦枠３に形成したガイドに沿って昇降動し、昇降する為の駆動源となるモータを上枠４に備えている。【選択図】図１
2018104940.tif 000002
【特許請求の範囲】
【請求項１】
駐車場などの出入口に設置する門扉において、地面から垂直に起立する両縦枠に上枠を枠組みした門形フレームと昇降プレートから成り、該昇降プレートは両縦枠の間に掛架した細長い長方形で、昇降プレートの両先端に取付けたガイドローラが縦枠に形成したガイドに沿って昇降動し、昇降する為の駆動源となるモータを上枠に備え、昇降プレートが降下した状態ではフレームの上枠との間に大きな空間を形成し、また昇降プレートが上昇した状態では地面との間に大きな空間を形成するように構成したことを特徴とする昇降可能な門扉。
【請求項２】
昇降プレートをガイドする為の手段として、該昇降プレートの先端部背面から延びるアームの先端には外側へ延びるガイド部を設けると共にガイド部先端にはガイドローラを回転自在に取付け、縦枠には上記ガイドローラを遊嵌するガイド溝を、また縦枠の内側壁にはガイド部を遊嵌するガイド溝を設けた請求項１記載の昇降可能な門扉。
【請求項３】
上枠に取付けたモータで回転するプーリ―に巻き付いているベルトを縦枠に沿って延ばし、このベルトを昇降プレートのガイド部に連結した請求項１、又は請求項２記載の昇降可能な門扉。
【発明の詳細な説明】
【技術分野】
【０００１】
本発明は住宅の正面に設置され、昇降することで開閉することが出来る門扉に関するものである。ただし、門扉の用途は限定せず、例えば駐車場の入口として設置することが出来る。
【背景技術】
【０００２】
住宅には車を駐車することが出来るスペース（空間）を設けているが、この駐車スペースの形態には色々ある。
例えば、屋根付きのスペースとして構成している車庫の場合、入口には開閉するシャッターが備わっている。したがって、屋根付き車庫は大きくなり、そして施工費用はかなり嵩むことになり、また住宅の正面に位置することで後方の住宅が隠れてしまう。屋根だけを備えて正面にシャッターを装着しない車庫も多用されている。
【０００３】
駐車スペースの入口ゲートとして、伸縮門扉を設置する場合もある。伸縮門扉はリンク機構を採用して水平方向に伸び縮み動作を行うことが出来るように構成していて、車の出入り時には手で開閉しなくてはならず、操作が面倒である。そして、冬季に雪が降って積雪のある地域ではこの伸縮門扉の設置は困難である。
勿論、屋根付きの大きな車庫ほどではないが、門扉を伸長した場合には住宅の正面が塞がれ、特に庭を所有している住宅ともなれば景観が損なわれる。
【０００４】
一方、引戸式門扉も知られているが、上記伸縮門扉と同じように、車の出入り時には手で開け閉めしなくてはならず、床レールに沿ってスライド開閉する為に積雪がある地域では設置することは出来ない。
さらに、格子状の扉が両側上端に設けた軸を中心として揺動可能に装着し、車の出入り時には揺動して上方へ跳ね上げることが出来るように構成した跳ね上げ式門扉も知られている。
この跳ね上げ式門扉にしても、住宅の正面を遮ってしまい、その結果、住宅の外観が損なわれる。
【０００５】
特開２０１５−６３８４４号に係る「伸縮式門扉」は、パンタグラフ機構を上下に複数配置しているにも拘わらず移動縦枠の傾きを調整することが可能な伸縮式門扉である。
左右方向に配列した複数の右上がり及び右下がりの各傾斜リンクを互いに交差状に組み合わせて伸縮自在に構成したパンタグラフ機構を上下に複数配置し、複数のパンタグラフ機構の各移動側端部に跨がる移動縦枠を備えた伸縮式門扉である。
【０００６】
特開２０１６−１９１２２０号に係る「引戸門扉」は、吊元支持体に対する扉体の傾きや前後位置の調整作業の簡便化を図ることができる引戸門扉である。
引戸門扉は、吊元支持体と、ガイドローラと、扉体とを備える。ガイドローラは、軸状の取付部材を介して吊元支持体に回転自在に支持される。扉体はガイドローラと嵌合可能な嵌合部を有し、ガイドローラが嵌合部に嵌合することにより吊元支持体に移動可能に支持される。取付部材は扉体側への突出量を調節可能に、吊元支持体に設けられる。そして、突出量は吊元支持体を挟んで扉体の反対側から調節可能に構成されている。
【特許文献１】特開２０１５−６３８４４号に係る「伸縮式門扉」
【特許文献２】特開２０１６−１９１２２０号に係る「引戸門扉」
【発明の開示】
【発明が解決しようとする課題】
【０００７】
このように、一口に門扉といってもその形態は色々あり、上記のごとき問題が残されている。本発明が解決しようとする課題はこれら問題点であり、住宅の景観を損なうことなく、また構造が簡単で安く施工することが出来る昇降可能な門扉を提供する。
【課題を解決するための手段】
【０００８】
本発明に係る門扉は、地面から垂直に起立する両縦枠と上枠を枠組みした門形フレームと昇降プレートで構成している。昇降プレートは横長の長方形で両縦枠に跨って取付けられ、そして、縦枠に沿って昇降動することが出来る。そこで、上記昇降プレートの両先端にはガイドローラが取付けられ、縦枠にはガイド溝が設けられていて、ガイドローラはガイド溝に沿って上下方向に移動することが出来る。
【０００９】
上記上枠にはモータが取付けられ、該モータが回転駆動することで上記昇降プレートが縦枠に沿って昇降動することが出来る。そこで、縦枠に沿ってベルトが延びていて昇降プレートと連結し、ベルトはモータにて回転するプーリーに巻き付いている。従って、モータの回転にてベルトを介して昇降プレートは昇降動することが出来る。ただし、昇降手段に関しては特に限定しない。
【発明の効果】
【００１０】
本発明の昇降式門扉は、門形フレームの両縦枠に沿って昇降プレートが昇降動することが出来る。該昇降プレートは通常降下して地面に接し又は近接した位置にあり、車などが出入りする際に上昇することが出来るように成っている。昇降プレートは左右に細長い長方形であり、その為に該昇降プレートが降下している場合にはフレームの上枠との間に大きな空間が形成され、また昇降プレートが上昇している場合には、地面との間に大きな空間が形成される。
【００１１】
その為に、該門扉によって住宅や庭が遮られることはなく、景観が損なわれる虞はない。しかも、該門扉はフレームに昇降プレートを取付けただけの簡単な構造であり、その為に施工費も安く、狭い宅地であっても手軽に設置することが可能である。
該門扉の昇降プレートはモータ駆動にて昇降動して、手で上げ下げする必要はなく、車に乗ったままでリモコン操作が出来る為に車庫の門扉として利用する際には特に便利である。
【図面の簡単な説明】
【００１２】
【図１】昇降プレートが降下している状態の門扉正面図。
【図２】昇降プレートが上昇している状態の門扉正面図。
【図３】昇降プレートを昇降動する為の昇降手段を示す具体例。
【図４】昇降プレートのガイド手段を示す具体例。
【図５】図４のＡ−Ａ断面拡大図。
【発明を実施するための形態】
【００１３】
図１は本発明に係る昇降可能な門扉を示す実施例であり、同図の１はフレーム、２は昇降プレートを表している。上記フレーム１は両縦枠３，３と上枠４を枠組みした門形を成し、昇降プレート２は両縦枠３，３に沿って昇降動することが出来る。同図に示す昇降プレート２は複数本の水平桟５，５・・・が縦桟６，６・・・にて連結した構造と成っているが、該昇降プレート２の形態は特に限定しない。住宅とのバランスを考慮して、適当なデザインとなるように構成している。
【００１４】
図１に示す門扉は昇降プレート２が降下した位置に配置している為に、上枠４との間には大きな空間７を形成している。そこで、該門扉を住宅の正面に設置した場合、該空間７が存在していることで住宅を遮ることはなく、また該門扉にて住宅が日陰になるといったこともない。さらに、風通しが悪くなるといったこともない。
【００１５】
図２は上記昇降プレート２が上昇して上枠４の位置まで上がった場合を示している。該門扉を駐車場用として利用するならば、車が出入りする際には同図のように昇降プレート２は上昇した位置にある。その為に、昇降プレート２と地面８との間には大きな空間９が形成され、住宅を遮ることはない。このように昇降プレート２が降下している状態でも、上昇している場合であっても、形成される空間７，９は大きく住宅の景観は損なわれなく、また門扉にて住宅が日陰になるといったこともなく、さらに、風通しが悪くなるといったこともない。
【００１６】
ところで、上記昇降プレート２は手で持ち上げするのではなく、モータが取付けられ、該モータ駆動によって昇降プレート２は昇降動することが出来るように構成している。図３は昇降プレート２の昇降手段を示す具体例であり、上枠４にはモータ１０が取付けられ、該モータ１０にて回転するプーリー１１にはベルト１２が巻き掛けされている。
そして、該ベルト１２は昇降プレート２から延びるガイド部材と連結し、ベルト１２がプーリ―１１に巻付くことで昇降プレート２は上昇し、逆にプーリ―１１から巻き戻されることで昇降プレート２は降下することが出来る。
【００１７】
また、モータ１０から延びる軸にはコイルバネ１３が取付けられている。該コイルバネ１３は停電してモータ１０が起動しない時、手動にて昇降プレート２を昇降動することが出来るようにしている。該コイルバネ１３は昇降プレート２が上昇する方向にバネ力が付勢されていて、該コイルバネ１３にて付勢されているバネ力を借りて手で昇降プレート２を簡単に持ち上げることが出来る。
【００１８】
図４は昇降プレート２の先端が縦枠３にガイドされている場合を示す具体例である。昇降プレート２の先端からガイド部が外方向へ延び、先端には取付けたガイドローラ１４が縦枠３に形成したガイド溝に遊嵌している。
そして、上方からはベルト１２が延びて、ベルト下端は昇降プレート２のガイド部に連結している。
【００１９】
図５は図４におけるＡ−Ａ断面拡大図を示している。昇降プレート２の先端にはアーム１５が取付けられて背面側へ延び、アーム先端には外方向へ延びるガイド部１６を取着している。そして、ガイド部１６の先端にはガイドローラ１４を回転自在に軸支している。
縦枠３は間に仕切り壁１８を設けてガイド溝１７を形成し、このガイド溝１７に上記ガイドローラ１４が遊嵌している。
【００２０】
また、四角形断面を有す縦枠３の内側壁１９にもガイド溝２０が設けられて上下方向に延び、このガイド溝２０にはガイド部１６が遊嵌している。このように昇降プレート２はガイドローラ１４とガイド部１６の２か所で縦枠３にガイドされている為に、アーム１５に曲げ応力を生じることなく拘束することが出来る。しかも、昇降プレート２にはその下端部と中間部にガイドローラ１４，１４を設けて縦枠３にガイドされている為に、左右に細長い昇降プレート２が傾くことはない。
【００２１】
そして、昇降プレート２の先端上端部にガイドローラ１４を設けていないことで、上昇した際に昇降プレート２の上縁２２は上枠４の上面と一致することが出来、昇降プレート２の下方に形成される空間９は大きくなる。
さらに、縦枠３は２ピース構造と成っていて、ガイドローラ１４をガイド溝１７に遊嵌し易くする為に、正面側には分離可能な補助壁２１を設け、ガイドローラ１４を遊嵌した後で取付け出来るように構成している。
【００２２】
ところで、図１、図２に示す門扉の昇降プレート２は両縦枠３，３の内側まで延びる長さとしているが、より長くすることで縦枠３，３に先端部が被るようにすることもある。
そして、縦枠３に収まっているベルト１２の下端に連結して昇降プレート２を吊設しているが、縦枠３の下端部にもプーリ―を軸支して、上枠４に設けているプーリ―との間でベルト１２を巻き掛けし、この巻き掛けしたベルト１２の途中に昇降プレート２に取付けたガイド部を連結することも可能である。
【符号の説明】
【００２３】
１   フレーム
２   昇降プレート
３   縦枠
４   上枠
５   水平桟
６   縦桟
７   空間
８   地面
９   空間
10   モータ
11   プーリ―
12   ベルト
13   コイルバネ
14   ガイドローラ
15   アーム
16   ガイド部
17   ガイド溝
18   仕切り壁
19   内側壁
20   ガイド溝
21   補助壁
【図１】
2018104940.tif 000003
【図２】
2018104940.tif 000004
【図３】
2018104940.tif 000005
【図４】
2018104940.tif 000006
【図５】
2018104940.tif 000007